(57)【要約】【課題】空気調和機の制御装置に大量の記憶部やプログラムを搭載するなどしてのコストをかけることなく、地域や環境の違いや使用者の好みに適合した運転を可能とした空気調和機を提供する。【解決手段】熱交換器、送風機、制御装置を本体に有し、前記制御装置に、メモリーカードに格納されたデータの読み出し装置を具備し、前記データにより操作機能を設定するようにしたことにより、空気調和機の制御装置に大量の記憶部やプログラムを搭載するなどしてのコストをかけることなく、メモリーカードにあらかじめ入力された任意のデータに応じた空気調和機の操作機能を設定することができるとともに、メモリーカードには、設置環境や使用者の好みなどに適応できるように操作機能のデータが格納されているもので、地域や環境の違いや使用者の好みなどに適合した運転を可能とすることができる。【選択図】図１
2007315655.tif 000002
【特許請求の範囲】
【請求項１】
熱交換器、送風機、制御装置を本体に有し、前記制御装置に、メモリーカードに格納されたデータの読み出し装置を具備し、前記データにより操作機能を設定するようにしたことを特徴とする空気調和機。
【請求項２】
メモリーカードには、設置環境や使用者の好みなどに適応できるように操作機能のデータが格納されていることを特徴とする請求項１記載の空気調和機。
【請求項３】
メモリーカードのデータは、パソコン等により設定変更が可能で、自由に運転、動作を設定可能であることを特徴とする請求項１又は２記載の空気調和機。
【発明の詳細な説明】
【技術分野】
【０００１】
本発明は、空気調和機に関し、空気調和機本体にメモリーカードを挿入できる装置およびデータ処理装置を具備し、設置された部屋の空気制御を行う空気調和機に関するものである。
【背景技術】
【０００２】
従来、この種の壁掛け型、天井埋込型、天井吊下型等の空気調和機には、その運転動作のための制御装置が設けられており、上記制御装置の制御設定は、通常壁面に設置されたワイヤードリモコンを通して行う方法と、ワイヤレスリモコンを通して行う方法とがある。このどちらの方法を選択するかは、空気調和機の設置環境や顧客の要望により決定され、空気調和機の設置時にこれらの工事が行われる。
【０００３】
図４は、従来の空気調和機の構成図であり、例えば、ワイヤレスリモコン、または顧客要望により選択されるワイヤードリモコンを通して制御設定を行う、天井埋込型空気調和機を示す。図において、空気調和機本体５０は天井面に据え付けられ、化粧パネル本体５１が取り付けネジ５３にて、空気調和機本体５０に固定される。化粧パネル本体５１の表面中央開口部には吸込グリル５２が嵌め込んで配置される。また化粧パネル本体５１には図５に示すワイヤレスリモコン５５の信号を受信する受光部５４が配設され、化粧パネル本体５１の上部には、制御装置（図示せず）が設置され、この制御装置の受光部５４は化粧パネル本体５１に設けられた切欠を通して室内に表出している。室内の空気調和機操作者はワイヤレスリモコン５５を受光部５４に向け、ボタン５６で操作を行うことで、制御装置の設定を任意に変更することができ空気調和機を制御する。
【０００４】
また、設置環境や顧客の要望によっては図６に示すワイヤードリモコン５７が選択される。空気調和機本体５０にワイヤーリード線５８にて連結され、組み込まれたデータにより通信され、空気調和機を制御することとなる。通常、ワイヤレスリモコン５５とワイヤードリモコン５７については、基本的な操作モード（例：運転、冷房、暖房、除湿、送風、自動運転等）は、どちらも同じであるが、ワイヤードリモコン５７については、ワイヤレスリモコン５５と比較し、ワイヤーで信号線が空気調和機と連結され空気調和機本体５０と相互通信可能で、制御部を保有し、液晶表示部５９がワイヤレスリモコン５５の液晶表示部６０と比較して大きく、空気調和機の動作内容表示を多くすることが可能であり、基本的な操作モード以外の動作モードを表示可能であり動作機能も多くすることができるものである。たとえば、ワイヤレスリモコン５５では、一週間の運転、停止の時間設定は、液晶表示部６０の大きさにより省略されていたり、あっても見にくかったりするものであるが、ワイヤードリモコン５７では液晶表示部５９を広く大きく表示することが可能である。
【０００５】
また、ワイヤレスリモコン５５を光ファイバーにて接続してワイヤードリモコン５７の方式にすることによりワイヤレスリモコン５５の紛失が防止できる構成も開示されている（例えば、特許文献１参照）。
【特許文献１】特開平０９−２１０４３１号公報
【発明の開示】
【発明が解決しようとする課題】
【０００６】
しかしながら、前記従来の構成では、設置環境、顧客要望で、ワイヤレスリモコンを選択し、その後、要望として、空気調和機を一週間の運転、停止等のタイマー予約操作をしたい場合、ワイヤレスリモコンをワイヤードリモコンに交換することで対応することが可
能であるが、空気調和機を設置する地域や環境の違いに対しては汎用的な機能を有するに過ぎない。もし、これらの違いの上に、さらに使用者の好みまで配慮した機能とするには、制御装置に大量の記憶部を具備するとともに複雑なプログラムを搭載することが必要であり、コストが余分にかかる等の課題を有していた。
【０００７】
本発明は、従来の課題を解決するもので、空気調和機の制御装置に大量の記憶部やプログラムを搭載するなどしてのコストをかけることなく、地域や環境の違いや使用者の好みに適合した運転を可能とした空気調和機を提供することを目的とする。
【課題を解決するための手段】
【０００８】
前記従来の課題を解決するために本発明の空気調和機は、熱交換器、送風機、制御装置を本体に有し、制御装置にはメモリーカードに格納されたデータの読み出し装置を具備し、前記データにより操作機能を設定するようにしたものである。
【０００９】
空気調和機の制御装置に具備したデータの読み出し装置にメモリーカードを挿入することで、メモリーカードにあらかじめ入力されたデータにより使用者が要望する操作機能と運転動作を実現し、好みの部屋の環境をつくることが可能となる。
【発明の効果】
【００１０】
本発明の空気調和機は、使用環境、使用者要望に基づくメモリーカードのデータ変更により、よりきめこまかい空気調和機の運転に対応することができる。
【発明を実施するための最良の形態】
【００１１】
第１の発明は、熱交換器、送風機、制御装置を本体に有し、前記制御装置に、メモリーカードに格納されたデータの読み出し装置を具備し、前記データにより操作機能を設定するようにしたことにより、空気調和機の制御装置に大量の記憶部やプログラムを搭載するなどしてのコストをかけることなく、メモリーカードにあらかじめ入力された任意のデータに応じた空気調和機の操作機能を設定することができるものである。
【００１２】
第２の発明は、第１の発明において、メモリーカードには、設置環境や使用者の好みなどに適応できるように操作機能のデータが格納されているもので、地域や環境の違いや使用者の好みなどに適合した運転を可能とすることができる。
【００１３】
第３の発明は、第１又は第２の発明において、メモリーカードのデータは、パソコン等により、設定変更が可能で、自由に運転、動作を設定可能としたもので、１枚のメモリーカードで設定を変更して空気調和機を操作、運転することができるとともに、設定変更自体を手軽に行うことができる。
【００１４】
以下本発明の実施の形態について図面を参照しながら説明する。なお、この実施の形態によって本発明が限定されるものではない。
【００１５】
（実施の形態１）
図１は、本発明の実施の形態１における空気調和機の構成図で、一例として天井埋込型空気調和機を示す。図２は、同じく空気調和機のワイヤレスリモコンの斜視図である。図１において、１は空気調和機本体、２は化粧パネル、３は化粧パネル２の中央部に配置される吸込グリルである。４は化粧パネル２のコーナーに取り付けられた、ワイヤレスリモコン５からの信号の受信部である。受信部４の近傍にはＳＤカード１０のデータ読み出し装置１１を配設しており、ＳＤカード１０が挿入されていれば、制御装置（図示せず）はそこに格納された操作機能のデータを読み込んで動作する。
【００１６】
ワイヤレスリモコン５において、６は送信部、７は操作ボタン、８は液晶表示部、９は扉で、扉９をずらして開けることによりさらに各種機能の運転操作ボタン（図示せず）が配設されており、ボタンを操作することにより通常の基本的な操作モード（例：運転、冷房、暖房、除湿、送風、自動運転等）ができるものである。尚、本空気調和機は、従来例にも示したように、ワイヤードリモコン１５も取り付け可能で、選択は使用者の自由である。ただし、これら２種類のリモコンの操作モードは、リモコンの表示個所の大小、スペースの関係もあり同じものではなく、ワイヤレスリモコン５のほうが少ないのが通常である。
【００１７】
当初、使用者がワイヤレスリモコン５を選択した場合、空気調和機は基本的な操作機能の運転のみであるが、使用環境や好みに応じた設定をパソコン等を利用してＳＤカード１０に格納する。これは、ワイヤードリモコンがもっている高機能のタイマー運転設定や、その他、室温の微妙な調整度合い、風量や風向の任意の動作モードなどが考えられる。空気調和機にこれらの任意の設定を格納したＳＤカード１０を挿入することで、使用者の必要や好みに応じたの機能運転操作となるものである。
【００１８】
図３は、本発明の実施の形態１における他の空気調和機の正面図で、壁掛け型空気調和機を示すものである。１２は壁掛け型空気調和機本体、１３はデータ読み出し装置のＳＤカード挿入口である。壁掛け型空気調和機本体１２においても、前述した天井埋込形空気調和機と同様に、ＳＤカード１０の設定によって、制御装置に大量の記憶部やプログラムを搭載するなどしてのコストをかけることなく、地域や環境の違いや使用者の好みに適合した運転を可能とし、よりきめこまかい空気調和機の運転に対応することができる。
【００１９】
また、パソコン等により、設定変更が可能で、自由に運転、動作を設定可能としたもので、１枚のメモリーカードで設定を変更して空気調和機を操作、運転することができるとともに、設定変更自体を手軽に行うことができる。
【００２０】
なお、本発明でいうメモリーカードは、いわゆる着脱が可能な小型の外部記憶装置を示すものであり、特に本実施の形態で示したＳＤカードに限るものではないが、ＳＤカードはそれらの中でも薄く小型で取り扱いやすいものであり、少しでも小型化を目指す空気調和機に適用するには好適である。
【産業上の利用可能性】
【００２１】
以上のように、本発明にかかる空気調和機は、メモリーカードのデータ読み出し装置を設けたもので、使用環境や使用者の要望により、他の機能の運転を付加し、変更したい場合、変更したいデータをメモリーカードに設定して挿入することで、要望に沿うかたちでのさらにきめこまかい運転ができる空気調和機を提供できる。
【図面の簡単な説明】
【００２２】
【図１】本発明の実施の形態における空気調和機の構成図
【図２】同空気調和機のワイヤレスリモコンの斜視図
【図３】本発明の実施の形態における他の空気調和機の正面図
【図４】従来の空気調和機の構成図
【図５】従来のワイヤレスリモコンの正面図
【図６】従来のワイヤードリモコンの正面図
【符号の説明】
【００２３】
１  空気調和機本体
２  化粧パネル
３  吸い込みグリル
４  受信部
５  ワイヤレスリモコン
１０  ＳＤカード
１１  データ読み出し装置
１２  壁掛け型空気調和機
１３  ＳＤカード挿入口
【図１】
2007315655.tif 000003
【図２】
2007315655.tif 000004
【図３】
2007315655.tif 000005
【図４】
2007315655.tif 000006
【図５】
2007315655.tif 000007
【図６】
2007315655.tif 000008